【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
トロカールを備えた外科用アクセスシステムであって、前記トロカールが、
近位端と遠位端と前記近位端から前記遠位端に延びる縦軸とを含む管状カニューレ本体と、カニューレ内腔を定めるカニューレ壁とを含む固定カニューレと、
前記カニューレ本体の前記近位端に結合されたシールアセンブリと、
径方向に延びるフランジを含む近位端と先細になった遠位端とを含む、前記カニューレ本体から延びるリテーナと、
前記カニューレ本体上に配置されて前記リテーナから離間されたロック用部品と、
前記ロック用部品に係合可能なボルスタと、
を含み、前記トロカールが、前記ボルスタが前記ロック用部品に係合されない挿入構成と、前記ボルスタが前記ロック用部品に係合される固定構成とを有し、前記固定構成において、前記リテーナ及び前記ボルスタが、これらの間に人工体壁を捕捉することにより前記カニューレを前記人工体壁に固定するように寸法決め及び構成される、
ことを特徴とする外科用アクセスシステム。
【請求項２】
前記トロカールが５ｍｍトロカールである、
ことを特徴とする請求項１に記載の外科用アクセスシステム。
【請求項３】
前記カニューレが、ポリカーボネート及びポリエステルの少なくとも一方を含む、
ことを特徴とする請求項１に記載の外科用アクセスシステム。
【請求項４】
前記シールアセンブリが、隔膜弁及びダックビル弁を含む、
ことを特徴とする請求項１に記載の外科用アクセスシステム。
【請求項５】
前記リテーナが前記カニューレ本体の前記遠位端に配置され、前記ロック用部品が前記リテーナに近接する、
ことを特徴とする請求項１に記載の外科用アクセスシステム。
【請求項６】
前記リテーナフランジの直径が、前記カニューレ本体の外径の約１．５〜約２．５倍大きい、
ことを特徴とする請求項１に記載の外科用アクセスシステム。
【請求項７】
前記ロック用部品が拡大部分を含む、
ことを特徴とする請求項１に記載の外科用アクセスシステム。
【請求項８】
前記ロック用部品が円周リップを含む、
ことを特徴とする請求項１に記載の外科用アクセスシステム。
【請求項９】
前記ロック用部品がねじ山を含む、
ことを特徴とする請求項１に記載の外科用アクセスシステム。
【請求項１０】
前記ロック用部品が複数の円周スロットを含む、
ことを特徴とする請求項１に記載の外科用アクセスシステム。
【請求項１１】
前記ロック用部品がラチェットを含む、
ことを特徴とする請求項１に記載の外科用アクセスシステム。
【請求項１２】
前記ボルスタがエラストマ材料を含む、
ことを特徴とする請求項１に記載の外科用アクセスシステム。
【請求項１３】
前記ボルスタが、前記カニューレ本体が貫通して延びる開口部を備えたトーラスを含む、
ことを特徴とする請求項１に記載の外科用アクセスシステム。
【請求項１４】
前記ボルスタがねじ山を含む、
ことを特徴とする請求項１に記載の外科用アクセスシステム。
【請求項１５】
前記ボルスタが、前記ロック用部品上でラチェットと係合するように寸法決めされた少なくとも１つの歯止めを含む、
ことを特徴とする請求項１に記載の外科用アクセスシステム。
【請求項１６】
前記ボルスタが、前記ロック用部品と係合するように寸法決めされたクリップを含む、ことを特徴とする請求項１に記載の外科用アクセスシステム。
【請求項１７】
前記ボルスタの直径が、フランジの直径の約０．８〜約２倍である、
ことを特徴とする請求項１に記載の外科用アクセスシステム。
【請求項１８】
前記固定構成において、前記ロック用部品が前記ボルスタの離脱に抗する、
ことを特徴とする請求項１に記載の外科用アクセスシステム。
【請求項１９】
前記固定構成において、前記リテーナと前記ボルスタとの間の距離が調整可能である、ことを特徴とする請求項１に記載の外科用アクセスシステム。
【請求項２０】
オブチュレータをさらに備える、
ことを特徴とする請求項１５に記載の外科用アクセスシステム。
【請求項２１】
人工体壁をさらに備える、
ことを特徴とする請求項１に記載の外科用アクセスシステム。
【請求項２２】
前記人工体壁がゲルパッドを含む、
ことを特徴とする請求項２１に記載の外科用アクセスシステム。
【請求項２３】
前記ゲルパッドが、キャップリングに結合されることによりゲルキャップを定める、
ことを特徴とする請求項２２に記載の外科用アクセスシステム。
【請求項２４】
前記ゲルキャップに結合できる調整可能な開創器をさらに含む、
ことを特徴とする請求項２３に記載の外科用アクセスシステム。
【請求項２５】
外科用アクセスシステムであって、
調整可能な開創器と、ゲルキャップと、トロカールと、
を備え、
前記開創器が、
近位リングと、遠位リングと、前記近位リングと前記遠位リングの間に延びる柔軟な管状開創シースとを含み、前記近位リングが、該リングの環状軸を中心に回転することができ、これにより前記開創シースの長さが前記近位リングと前記遠位リングの間で調整され、
前記ゲルキャップが、
前記近位リングに係合可能なキャップリングと、該キャップリングに結合されたゲルパッドとを含み、
前記トロカールが、
近位端と、遠位端と、前記近位端から前記遠位端に延びる縦軸とを含む管状カニューレ本体と、カニューレ内腔を定めるカニューレ壁とを含む固定カニューレと、
前記カニューレ本体の前記近位端に結合されたシールアセンブリと、
前記カニューレ本体から延びるリテーナと、
前記カニューレ本体上に配置されて前記リテーナから離間されたロック用部品と、
前記ロック用部品に係合可能なボルスタと、
を含み、
前記トロカールが、前記ボルスタが前記ロック用部品に係合されない挿入構成と、前記ボルスタが前記ロック用部品に係合される固定構成とを有し、前記固定構成において、前記リテーナ及び前記ボルスタが、これらの間に前記ゲルパッドを捕捉することにより前記カニューレを前記ゲルパッドに固定するように寸法決め及び構成される、
ことを特徴とする外科用アクセスシステム。
【請求項２６】
前記ロック用部品は遠位端を備えたリップを有し、前記リテーナは近位面を有し、前記リップの前記遠位端と前記リテーナの前記近位面との間の距離はボルスタとゲルパッドの厚さの合計に等しいことを特徴とする請求項２２又は２５に記載の外科用アクセスシステム。
【請求項２７】
前記リップは、前記ボルスタを適所に固定して、前記ボルスタが近位方向に移動するのを防止し、前記トロカールを前記ゲルパッドに固定することを特徴とする請求項２６に記載の外科用アクセスシステム。
【請求項２８】
前記ボルスタは、前記ロック用部品から取り外し可能でないことを特徴とする請求項１又は２５に記載の外科用アクセスシステム。
【請求項２９】
前記ロック用部品は、前記カニューレ本体の外径よりも大きく、且つ、前記リテーナの直径及び前記リップの前記遠位端の直径よりも小さい直径を有する拡大部分を有することを特徴とする請求項２６に記載の外科用アクセスシステム。
【請求項３０】
前記拡大部分は、前記ボルスタの厚さよりも長く、且つ、前記リテーナまで延びていないことを特徴とする請求項２９に記載の外科用アクセスシステム。
【請求項３１】
前記拡大部分は、滑らかな外表面を有することを特徴とする請求項２９に記載の外科用アクセスシステム。